(57)【特許請求の範囲】
【請求項１】
胴部と底部とからなり、開口部周縁が外側にカールした口縁部を有し、胴部と底部の接合部に環状脚部を形成させた紙カップ本体と、紙カップ本体の胴部外側に嵌め込まれる紙製筒体とから構成される紙製断熱カップであって、
紙製筒体の下部は、加圧およびまたは加熱加圧により内方に曲がる彎曲部が形成されると共に、彎曲部の下端には等間隔で凹凸段差を設けた、下方に延び環状脚部の外面に固定される筒状脚部が形成され、該筒体を紙カップ本体の胴部に嵌め込み、筒体の上端は胴部の口縁部の下縁に接触して固定され、彎曲部を形成させた筒体の下端の筒状脚部は紙カップ本体の胴部の下縁の環状脚部の外面に接着して固定され、紙カップ本体の胴部と紙製筒体の間に断熱空間層を設けたことを特徴とする紙製断熱カップ。
【請求項２】
胴部と底部とからなり、開口部周縁が外側にカールした口縁部を有し、胴部と底部の接合部に環状脚部を有する紙カップ本体を形成する工程
紙カップ本体の胴部の口縁部から環状脚部までを覆う、略扇形のブランクの端縁同士を重ねて接着させ、スリーブ状にして紙製筒体を作製する工程
スリーブ状にした紙製筒体の下部を、周縁を複数に分割して等間隔で凹凸段差を形成させた、互いにかみ合わせ関係にある雄型と雌型により絞り成形して、彎曲面と該彎曲面の下端は下方に延び環状脚部の外面に接着して固定される筒状脚部とを有する筒体とする絞り成形工程
絞り成形を施した紙製筒体を紙カップ本体の胴部に被せると共に、紙カップ本体の環状脚部の外側と紙製筒体の下部とを接着させ、紙カップ本体と彎曲部を有する紙製筒体とを一体化させ、紙カップ本体の胴部と紙製筒体の間に断熱空間層を設けて紙製断熱カップとする一体化工程
以上の各工程を、上記順序で行うことを特徴とする紙製断熱カップの製造方法。
【請求項３】
前記紙製筒体の彎曲部の下端には全周にわたって放射状の縦方向の罫線を設けた、下方に延び環状脚部の外面に固定される筒状脚部が形成されていることを特徴とする請求項１記載の紙製断熱カップ。
【請求項４】
前記紙製筒体を作製する工程が、紙カップ本体の胴部の口縁部から環状縁部までを覆う、下部に多数の放射状の罫線を設けた略扇形のブランクの端縁同士を重ねて接着させ、スリーブ状にして紙製筒体を作製する工程であることを特徴とする請求項２記載の紙製断熱カップの製造方法。
【発明の詳細な説明】
【０００１】
【発明の属する技術分野】
本発明は、即席麺などを収容する紙製の断熱カップとその製造方法に関し、特には、熱湯を注いでそのまま飲食することの可能ないわゆるインスタント食品やインスタント飲料用の紙製の断熱カップとその製造方法に関する。
【０００２】
【従来の技術】
従来、即席麺などの収容物に熱湯を注いで食する断熱性カップとしては、例えば、発泡ポリスチレン樹脂などを成形したプラスチックカップ、耐水加工した紙カップ本体の周壁の外側に波状紙を貼着し、さらに、波状紙の上から薄紙を貼着して空気断熱層を形成させた紙カップなどが知られている。
【０００３】
ところが、材質に発泡樹脂を使用したカップは断熱性には優れているものの、燃焼カロリーが高く、焼却、廃棄上の問題があり、さらには消費者の環境意識の高まりに伴う消費行動の変化により発泡樹脂に代わる易廃棄性、易燃焼性の容器が求められている。
【０００４】
また、紙カップに波状紙や薄紙を巻き付け貼着し空気断熱層を形成させた紙カップは、断熱性には問題ないものの、見栄えが悪かったり、作業工程が多くなることにより作業効率が落ちたり、巻き付け貼着しているため紙の剛性による反発によりすぐに接着が剥がれてしまったり、それ故に接着後、一定時間仮止めが必要となるなどの問題があった。
【０００５】
【発明が解決しようとする課題】
本発明は、断熱カップに関する以上のような問題点に着目してなされたもので、紙を主要素材とし、易廃棄性、易焼却性を有し、臭気発生の恐れのない紙製断熱カップとその製造方法を提供することを目的とする。
【０００６】
【課題を解決するための手段】
本発明の第１の発明は、胴部と底部とからなり、開口部周縁が外側にカールした口縁部を有し、胴部と底部の接合部に環状脚部を形成させた紙カップ本体と、紙カップ本体の胴部外側に嵌め込まれる紙製筒体とから構成される紙製断熱カップであって、紙製筒体の下部は、加圧およびまたは加熱加圧により内方に曲がる彎曲部が形成されると共に、彎曲部の下端には等間隔で凹凸段差を設けた、下方に延び環状脚部の外面に固定される筒状脚部が形成され、該筒体を紙カップ本体の胴部に嵌め込み、筒体の上端は胴部の口縁部の下縁に接触して固定され、彎曲部を形成させた筒体の下端の筒状脚部は紙カップ本体の胴部の下縁の環状脚部の外面に接着して固定され、紙カップ本体の胴部と紙製筒体の間に断熱空間層を設けたことを特徴とする紙製断熱カップである。
【０００７】
また、第２の発明は、胴部と底部とからなり、開口部周縁が外側にカールした口縁部を有し、胴部と底部の接合部に環状脚部を有する紙カップ本体を形成する工程、紙カップ本体の胴部の口縁部から環状脚部までを覆う、略扇形のブランクの端縁同士を重ねて接着させ、スリーブ状にして紙製筒体を作製する工程、スリーブ状にした紙製筒体の下部を、周縁を複数に分割して等間隔で凹凸段差を形成させた、互いにかみ合わせ関係にある雄型と雌型により絞り成形して、彎曲面と該彎曲面の下端は下方に延び環状脚部の外面に接着して固定される筒状脚部とを有する筒体とする絞り成形工程、絞り成形を施した紙製筒体を紙カップ本体の胴部に被せると共に、紙カップ本体の環状脚部の外側と紙製筒体の下部とを接着させ、紙カップ本体と彎曲部を有する紙製筒体とを一体化させ、紙カップ本体の胴部と紙製筒体の間に断熱空間層を設けて紙製断熱カップとする一体化工程、以上の各工程を、上記順序で行うことを特徴とする紙製断熱カップの製造方法である。
【０００８】
また、第３の発明は、第１の発明において、前記彎曲部の下端には全周にわたって放射状の縦方向の罫線を設けた、下方に延び環状脚部の外面に固定される筒状脚部が形成されていることを特徴とする紙製断熱カップである。
【０００９】
また、第４の発明は、第２の発明において、前記紙製筒体を作製する工程が、紙カップ本体の胴部の口縁部から環状脚部までを覆う、下部に多数の放射状の罫線を設けた略扇形のブランクの端縁同士を重ねて接着させ、スリーブ状にして紙製筒体を作製する工程であることを特徴とする紙製断熱カップの製造方法である。
【００１０】
上記のように本発明によれば、紙製筒体の下部に内方に曲がる彎曲部を設けているので、紙カップ本体の胴部と紙製筒体の間には断熱空間層が形成される。
また、紙製筒体の下部を、周縁を１０〜６４分割して等間隔で高さ２ｍｍ以下の凹凸段差を形成させた、互いにかみ合わせ関係にある雄型と雌型で絞り成形するので、絞ることにより発生する皺が前記凹凸段差に吸収され、紙製筒体の下部は無理なく見栄えの良い彎曲部と脚部が得られる。
【００１１】
さらに、紙製筒体の下部に、全周にわたって放射状の縦方向の罫線を設けることによって、紙製筒体に雄型と雌型で絞り成形をして彎曲部を設ける際、絞ることによって発生する皺は、規則的に設けた罫線により吸収されるので、無理なく見栄えの良い彎曲部と脚部が得られる。
【００１２】
【発明の実施の形態】
以下実施例により本発明を詳細に説明する。
本発明の紙製断熱カップは、例えば図１に示すように、胴部１１と底部１２とからなり、開口部周縁が外側にカールした口縁部１３を有し、胴部と底部の接合部に環状脚部１４を形成させた紙カップ本体１０と、紙カップ本体の胴部外側に嵌め込まれる紙製筒体２０とから構成される。
【００１３】
紙カップ本体１０は、胴部を形成する胴部材、底部を形成する底部材とも、坪量が１７０〜３１０ｇ／ｍ2 程度の紙カップ原紙の両面、または片面に低密度ポリエチレン樹脂を２０〜４０μｍ程度塗布したポリエチレン加工紙を一般的な紙カップ成形機にセットして作製することができる。
【００１４】
紙製筒体２０は、坪量が２５０〜３８０ｇ／ｍ2 程度のコートボール、白ライナー、カップ原紙等の板紙を用いて、先ず、所定寸法の扇形に打ち抜き、図２に示すようなブランク２０ａを作製する。
あるいは、所定寸法の扇形に打ち抜くとともに、下部の彎曲部を形成する部分に、図３に示すような放射状に多数の縦方向の罫線ａ、ａ、…を形成させたブランク２０ｂを作製しても良い。
なお、カップ原紙を使用すると、パルプが伸び易く、成形性に富むので彎曲部が成形し易い。
【００１５】
ついで、紙製筒体ブランク２０ａあるいは紙製筒体ブランク２０ｂの両端を重ね合わせ、例えば、エチレン・酢酸ビニル樹脂系のエマルジョン型接着剤を介して接着させ筒状に加工する。
【００１６】
筒状に加工された筒体を雄型と雌型を使用して加圧およびまたは加熱加圧成形して、筒体の下部に内方に曲げた彎曲部２１と彎曲部の下端が下方に延び環状脚部の外面に接着して固定させる筒状脚部２３を有する紙製筒体２０とする。
【００１７】
この際、紙製筒体ブランク２０ａ（ブランクの下部に放射状の罫線を設けていないブランク）を使用する場合には、図４に示すような、周縁を１０〜６４分割して等間隔で高さ２ｍｍ以下の凹凸段差３２、３３を有する雄型３０と雌型３１を使用することにより、絞り成形する際に発生する紙皺を吸収することができ、無理なく綺麗に彎曲部と筒状脚部を形成することができる。
【００１８】
また、紙製筒体ブランク２０ｂ（ブランクの下部に放射状の罫線を設けたブランク）を使用する場合には、図５に示すような、周縁が平滑な雄型４０と雌型４１を使用しても、彎曲部を形成する筒体の下部には、あらかじ多数の放射状の罫線が設けられているので、絞り成形加工によってブランクに生じる皺を吸収することができ、無理なく綺麗に彎曲部と筒状脚部を形成することができる。
【００１９】
紙製筒体２０の紙カップ本体１０への嵌め込みはつぎのように行う。すなわち、紙カップ本体を底の方から紙製筒体の中に嵌め込み、紙製筒体の上端は紙カップ本体の口縁部１３の下に接触させて固定し、紙製筒体の下端は紙カップ本体の環状脚部と接触させて固定し、本発明の紙製断熱カップとする。
紙製筒体と紙カップ本体の固定方法は、紙製筒体の上端と下端のどちらか一方または両方を紙カップ本体と接着剤で接着させる方法が確実である。
【００２０】
【実施例】
以下に本発明の実施例をさらに具体的に説明する。
〈実施例１〉
先ず、坪量２７０ｇ／ｍ2 のカップ原紙の片面に厚さ３０μｍの低密度ポリエチレン樹脂を塗布したポリエチレン加工紙を作製し、所定の寸法に裁断し胴部材とした。
また、坪量２１０ｇ／ｍ2 のカップ原紙の片面に厚さ３０μｍの低密度ポリエチレン樹脂を塗布したポリエチレン加工紙を作製し、所定の寸法に裁断し底部材とした。
【００２１】
この胴部材と底部材を一般的な紙カップ成形機にセットして、高さ：１０４ｍｍ、口径：１３９ｍｍ、底径：１０４ｍｍ、環状脚部の高さ（深さ）：１０ｍｍの紙カップ本体を成形した。
【００２２】
別に、坪量２７０ｇ／ｍ2 のコートボールを用いて、所定寸法の扇形の紙製筒体ブランク２０ａを作製した（図２参照）。
【００２３】
この扇形の筒体ブランク２０ａの両端を重ね、エチレン・酢酸ビニール樹脂系のエマルジョン型接着剤を介して接着させ、スリーブ状に成形した。
【００２４】
続いてスリーブ状に成形した筒体ブランクを、図４に示すような周縁を等間隔で高さ２ｍｍの凹凸段差３２、３３を形成させた雄型３０と雌型３１を使用して加熱加圧し、筒体の下部が内方に曲げた彎曲部２１と彎曲部の下端が下方に延び環状脚部の外面に接着して固定される筒状脚部２３に成形され、紙製筒体２０が形成できた。
なお、雄型と雌型のクリアランスは、紙の厚み±３０％程度が適当である。
【００２５】
ついで、紙カップ本体１０を底の方から紙製筒体２０の中に嵌め込み、紙製筒体の上端は紙カップ本体の口縁部１３の下に接触させて固定し、紙製筒体の下端の筒体脚部２３はエチレン・酢酸ビニール樹脂系接着剤を介して紙カップ本体の環状脚部の外側と接着し、紙カップ本体と紙製筒体の間に断熱空間層２２を有する実施例１の紙製断熱カップとした（図１参照）。
【００２６】
〈実施例２〉
以下に記述する紙製筒体ブランクを用いて紙製筒体を作製した以外は実施例１と同じ素材、方法で、実施例２の紙製断熱カップを作製した。
すなわち、実施例１と同じ、坪量２７０ｇ／ｍ2 のコートボールを用いて、所定寸法の扇形の紙製筒体ブランク２０ｂを作製した。なお、その際、彎曲部を形成する筒体ブランクの下縁から上方に向けて、長さ１２ｍｍの罫線ａを５ｍｍ間隔で下周縁全体に放射状に設けた（図３参照）。
【００２７】
扇形の紙製筒体ブランク２０ｂの両端を重ね、実施例１と同様、エチレン・酢酸ビニール樹脂系のエマルジョン型接着剤を介して接着させ、スリーブ状に成形した。
【００２８】
続いてスリーブ状に成形した筒体ブランクを図５に示すような雄型４０と雌型４１を使用して加熱加圧し、筒体の下部が内方に曲げた彎曲部２１と彎曲部の下端が下方に延び環状脚部の外面に接着して固定される筒状脚部２３に成形され、紙製筒体２０が形成できた。
なお、雄型と雌型のクリアランスは、紙の厚み±３０％程度が適当である。
【００２９】
ついで、実施例１と同様に、紙カップ本体１０を底の方から紙製筒体２０の中に嵌め込み、紙製筒体の上端は紙カップ本体の口縁部１３の下に接触させて固定し、紙製筒体の下端の筒体脚部２３はエチレン・酢酸ビニール樹脂系接着剤を介して紙カップ本体の環状脚部の外側と接着し、紙カップ本体と紙製筒体の間に断熱空間層２２を有する実施例２の紙製断熱カップとした（図１参照）。
【００３０】
こうして作製した実施例１および実施例２の紙製断熱カップに即席麺を入れ、熱湯を注いで３分間放置後、カップの胴部を手指等で握持したが、容易に手で持つことができた。
【００３１】
【発明の効果】
上記のように本発明の紙製断熱カップは、紙カップと紙製筒体の２部品で良く、紙製筒体も貼りと加圧加工のみなので、作業効率も良好で、安定して安価な製造が可能である。
使用する紙の剛度が大きくなった際も、罫線の本数を増やすことや、あるいは周縁に凹凸段差を形成した雄型と雌型を使用することにより見栄えの良い彎曲部を得ることができる。
底側が曲面に成形されているため、剛性に富むと共に美粧性に優れている。
【図面の簡単な説明】
【図１】  本発明の紙製断熱カップの一例を示す部分断面説明図である。
【図２】  本発明の紙製断熱カップに使用する紙製筒体ブランクの一例を示す平面説明図である。
【図３】  本発明の紙製断熱カップに使用する紙製筒体ブランクの別の一例を示す平面説明図であ
る。
【図４】  本発明の紙製断熱カップに使用する紙製筒体の絞り成形に用いる雄型と雌型の形状の一例を示す模式説明図である。
【図５】  本発明の紙製断熱カップに使用する紙製筒体の絞り成形に用いる雄型と雌型の形状の別の一例を示す模式説明図である。
【符号の説明】
１０‥‥紙カップ本体
１１‥‥胴部
１２‥‥底部
１３‥‥口縁部
１４‥‥環状脚部
２０‥‥紙製筒体
２０ａ、２０ｂ‥紙製筒体ブランク
２１‥‥彎曲部
２２‥‥断熱空間層
２３‥‥筒状脚部
３０、４０‥‥雄型
３１、４１‥‥雌型
３２、３３‥‥凹凸段差
ａ‥‥罫線
【図１】
0003885423.tif 000002
【図２】
0003885423.tif 000003
【図３】
0003885423.tif 000004
【図４】
0003885423.tif 000005
【図５】
0003885423.tif 000006